【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
エンドユーザ装置に関連する１つ又は複数の通知メッセージを提供するネットワークシステムであって、
１つ又は複数の要素の第１セットであって、
第１トリガ状況及び関連する第１通知メッセージを含む第１通知ポリシーの取得であって、前記第１トリガ状況が、試行された又は成功した無線通信ネットワークを介した１つ又は複数のエンドユーザ装置活動に関連する状況を特定し、前記第１通知メッセージが、ユーザインタフェースを通して提示すべき通知情報を含む、取得と、
前記第１トリガ状況に基づいた、１つ又は複数のトリガ識別命令の決定であって、当該１つ又は複数のトリガ識別命令が、１つ又は複数の要素の第２セットが前記第１トリガ状況が発生した時の識別を支援するよう構成され、当該１つ又は複数の要素の第２セットが前記エンドユーザ装置に接続された無線通信ネットワークを介したサービス利用のモニタリングを行う、決定と、
前記１つ又は複数のトリガ識別命令の前記１つ又は複数の要素の第２セットへの通信と、
前記１つ又は複数の要素の第２セットからのトリガ状況表示の受信であって、当該トリガ状況表示が前記第１トリガ状況が発生したことを表示する、受信と、
前記ユーザインターフェースを通じた前記通知情報の提示を少なくとも支援すること、
を行うように構成された、１つ又は複数の要素の第１セット、及び
前記１つ又は複数の要素の第１セットと前記１つ又は複数の要素の第２セットとの通信を可能にするコミュニケーションインターフェースと、
を具えることを特徴とする、ネットワークシステム。
【請求項２】
請求項１に記載のネットワークシステムにおいて、前記１つ又は複数の要素の第１セットが第１サービス設計センターを具え、当該第１サービス設計センター用の第１通知ポリシー設計性能セットを規定するように構成されたマスタサービス設計センターを更に具え、当該第１通知ポリシー設計性能セットが、マスタポリシー性能セットのうちの第１サブセットを具えることを特徴とする、ネットワークシステム。
【請求項３】
請求項１又は２に記載のネットワークシステムにおいて、前記第１トリガ状況が、前記エンドユーザ装置が特定量のサービスを利用した状況を含み、前記通知情報が、前記特定量のサービスの利用の測定を含むことを特徴とする、ネットワークシステム。
【請求項４】
請求項１乃至３のいずれか１項に記載のネットワークシステムにおいて、前記ユーザインターフェースが前記エンドユーザ装置のユーザインターフェースであり、前記ユーザインターフェースを通じた前記通知情報の提示を少なくとも支援することが、少なくとも一部の前記通知情報の前記エンドユーザ装置への送信を含むこと特徴とする、ネットワークシステム。
【請求項５】
請求項１乃至４のいずれか１項に記載のネットワークシステムにおいて、前記第１トリガ状況が、（ａ）前記エンドユーザ装置によるサービス利用がホームネットワークにおいてサービス利用限度に達したこと、（ｂ）前記エンドユーザ装置によるサービス利用がローミングネットワークにおいてサービス利用限度に達したこと、（ｃ）前記エンドユーザ装置にローミングネットワークにおいて特定量の発生サービスコストが発生したこと、又は（ｄ）前記エンドユーザ装置にホームネットワークにおいて特定量の発生コストが発生したこと、を含むことを特徴とする、ネットワークシステム。
【請求項６】
請求項１乃至５のいずれか１項に記載のネットワークシステムにおいて、前記１つ又は複数の要素の第２セットが、無線オペレーターネットワーク又は企業通信ネットワークに配置したサービス利用モニタを具えることを特徴とする、ネットワークシステム。
【請求項７】
請求項１乃至６のいずれか１項に記載のネットワークシステムにおいて、前記１つ又は複数の要素の第２セットが、前記エンドユーザ装置に配置したサービス利用モニタを具えることを特徴とする、ネットワークシステム。
【請求項８】
請求項１乃至７のいずれか１項に記載のネットワークシステムにおいて、前記第１トリガ状況が、前記エンドユーザ装置が特定量のサービスを利用した状況を含むことを特徴とする、ネットワークシステム。
【請求項９】
請求項１乃至８のいずれか１項に記載のネットワークシステムにおいて、前記第１トリガ状況が、前記エンドユーザ装置が１つ又は複数のローミングネットワークにおいて特定量のサービスを利用した状況を含むことを特徴とする、ネットワークシステム。
【請求項１０】
請求項１乃至９のいずれか１項に記載のネットワークシステムにおいて、前記第１トリガ状況が、前記エンドユーザ装置がローミングネットワークに接続されている状況を含むことを特徴とする、ネットワークシステム。
【請求項１１】
請求項１乃至１０のいずれか１項に記載のネットワークシステムにおいて、前記第１トリガ状況が、前記エンドユーザ装置にサービス利用コストが発生した状況を含み、前記第１通知情報が、当該サービス利用コストの測定情報又はサービス利用コストの総計の測定情報を含むことを特徴とする、ネットワークシステム。
【請求項１２】
請求項１乃至１１のいずれか１項に記載のネットワークシステムにおいて、前記第１トリガ状況が、前記エンドユーザ装置が有効化又は購買すべきサービスプランを必要とする活動を試行した状況を含むことを特徴とする、ネットワークシステム。
【請求項１３】
請求項１乃至１２のいずれか１項に記載のネットワークシステムが、前記１つ又は複数の要素の第２セットを具え、当該１つ又は複数の要素の第２セットが、
前記１つ又は複数のトリガ識別命令を実行して前記第１トリガ状況が発生した時を識別し、
前記１つ又は複数の要素の第１セットに前記トリガ状況表示を送信する、
ように構成されていることを特徴とする、ネットワークシステム。
【請求項１４】
請求項１３に記載のネットワークシステムにおいて、前記第１つ又は複数の要素の第２セットが更に、第１トリガ状況が発生した後に、前記エンドユーザ装置に接続する１つ又は複数の通信を防止若しくは制限する、又は防止若しくは制限を支援する、ように構成されていることを特徴とする、ネットワークシステム。
【請求項１５】
請求項１乃至１４のいずれか１項に記載のネットワークシステムにおいて、前記通知情報が、データ使用に関する情報、データ使用の有効性に関する情報、警告、試行された活動が許可されなかったことの表示、を含むことを特徴とする、ネットワークシステム。
【請求項１６】
請求項１乃至１５のいずれか１項に記載のネットワークシステムにおいて、前記通知情報が前記エンドユーザ装置のステータスに関する情報を含むことを特徴とする、ネットワークシステム。
【請求項１７】
請求項１乃至１６のいずれか１項に記載のネットワークシステムにおいて、前記通知情報が、前記エンドユーザ装置に関連するデータ使用に関するリアルタイム情報又は準リアルタイム情報を含むこと、を特徴とする、ネットワークシステム。
【請求項１８】
請求項１乃至１７のいずれか１項に記載のネットワークシステムにおいて、前記通知情報が、ユーザ、ユーザグループ、前記エンドユーザ装置、装置グループ、位置、又はこれらの組み合わせ、に関する使用レポートを含むこと、を特徴とする、ネットワークシステム。
【請求項１９】
請求項１乃至１８のいずれか１項に記載のネットワークシステムにおいて、前記ユーザインターフェースがエンドユーザ装置のユーザインターフェースであることを特徴とする、ネットワークシステム。
【請求項２０】
請求項１乃至１９のいずれか１項に記載のネットワークシステムにおいて、前記ユーザインターフェースがエンドユーザ装置のユーザインターフェースであり、前記１つ又は複数の要素の第１セットが更に、前記エンドユーザ装置から前記通知情報の応答を取得する、ように構成されていることを特徴とする、ネットワークシステム。